(57)【要約】【課題】光ファイバの余長の収納及び取り出し作業が容易にでき、小型かつ構造が簡易で操作性の良い光ファイバ収納具を提供する。【解決手段】本発明の光ファイバ収納具は、少なくとも光ファイバｆを挿入可能な間隙６を形成する２つのシャフト部４，４から構成される巻き取り軸５と、両シャフト部４，４を固定するベースプレート２と、シャフト部４，４を挟んでベースプレート２とは反対側に設けられ間隙６に連続するように分割されたファイバ押さえプレート３，３とを有し、巻き取り軸５の外周に光ファイバｆを収容するためのファイバ収納空間９が形成されており、ファイバ収納空間９は、ベースプレート２とファイバ押さえプレート３，３との間に設けられた仕切り板１０によって、第１収納空間７と第２収納空間８の２層に分割されている。【選択図】　　図１
2004045620.tif 000002
【特許請求の範囲】
【請求項１】
少なくとも光ファイバを挿入可能な間隙を形成する２つのシャフト部から構成される巻き取り軸と、前記両シャフト部を固定するベースプレートと、前記シャフト部を挟んで前記ベースプレートとは反対側に設けられ前記間隙に連続するように分割されたファイバ押さえプレートとを有し、前記巻き取り軸の外周に前記光ファイバを収容するためのファイバ収納空間が形成されており、前記ファイバ収納空間は、前記ベースプレートと前記ファイバ押さえプレートとの間に設けられた仕切り板によって、複数層に分割されていることを特徴とする光ファイバ収納具。
【請求項２】
請求項１に記載の光ファイバ収納具において、前記仕切り板は、前記間隙及び前記複数層のファイバ収納空間を連通させるように、中心部分から外周の一端に亙ってスリットが形成されていることを特徴とする光ファイバ収納具。
【請求項３】
請求項１または２に記載の光ファイバ収納具において、前記ファイバ収納空間は、２層に分割されていることを特徴とする光ファイバ収納具。
【請求項４】
請求項１〜３のいずれか１項に記載の光ファイバ収納具において、前記ファイバ収納空間の最外周の位置に、前記光ファイバを位置規制する変形自在なファイバ飛出し防止部材が設けられていることを特徴とする光ファイバ収納具。
【請求項５】
請求項４に記載の光ファイバ収納具において、前記ファイバ飛出し防止部材は、前記ファイバ収納空間に対して外側方向よりも内側方向に変形し易いように構成されていることを特徴とする光ファイバ収納具。
【請求項６】
請求項４または５に記載の光ファイバ収納具において、前記ファイバ飛出し防止部材は、前記仕切り板に対して着脱自在に構成されていることを特徴とする光ファイバ収納具。
【請求項７】
請求項１〜６のいずれか１項に記載の光ファイバ収納具において、前記ファイバ押さえプレートは、前記間隙と連続する位置に前記光ファイバの接続部を着脱可能な接続部収納溝が形成されていることを特徴とする光ファイバ収納具。
【請求項８】
請求項７に記載の光ファイバ収納具において、前記接続部収納溝は、前記２つのシャフト部の共通内接線に沿った方向に形成されていることを特徴とする光ファイバ収納具。
【請求項９】
請求項８に記載の光ファイバ収納具において、前記ベースプレート及び前記ファイバ押さえプレートの外形は、長方形状と半円形状とを組み合わせた長円形状であり、前記接続部収納溝は、前記長方形状の対角線方向に形成されていることを特徴とする光ファイバ収納具。
【請求項１０】
請求項１〜９のいずれか１項に記載の光ファイバ収納具を用いて、光ファイバの余長を収納したことを特徴とする光ファイバ収納箱。
【発明の詳細な説明】
【０００１】
【発明の属する技術分野】
本発明は、光ファイバの余長部分を巻き取って収容するための光ファイバ収納具に関する。
【０００２】
【従来の技術】
光通信機器等において１本あるいは複数本の光ファイバを用いて、光部品間を接続する場合に、光ファイバの長さに余裕を持たせて接続することがある。この場合において、２つの光部品の接続に必要な長さ以外の光ファイバ（光ファイバの余長部分ともいう）は、その状態で放置しておくと、他の部品に引っ掛かったり、光ファイバ同士が絡み合ったりしてしまうことがある。そこで、光ファイバの余長部分を上手にまとめておくことが必要となる。
【０００３】
日本特許登録第２８２１０２９号公報には、紐類の巻き込み器の技術が開示されている。この公報には、図１０、図１１に示すように、第１制限板１００と第２制限板１０１とから構成され、第１制限板１００には、回転用突起部１０２、連結部１０３、巻軸片１０４、結合軸片１０５、爪１０６を有している。第２制限板１０１には、円形突起部１０７、環状枠体１０８、吊下げ片１０９、誘導面１１０、１１１が備えられている。紐等は、挿入溝１１３に挿入されて、第１制限板１００を矢印１１２方向に回転させることにより、第１制限板１００と第２制限板１０１とにより形成された空間に巻き取られて収容される構成となっている。
【０００４】
【発明が解決しようとする課題】
近年の光ファイバにおいては、光ファイバの特性が飛躍的に向上しており、例えば、スクリーニング歪み（εｐ）と疲労係数（ｎ）の関係が１．２５×（６．３×１０８）１／ｎ≦εｐ≦４．０を満足する特性を有する光ファイバを光部品間に接続して使用することがある。また、例えば、曲げ直径１０ｍｍでの波長１．５５μｍにおける曲げ損失が１．０ｄＢ／ターン以下の特性を有する光ファイバを使用することもある。これらの特性を有する光ファイバを使用して、その余長部分を巻き取って収納する場合には、巻き取った曲げ径が直径１５ｍｍ程度となるような、かなり小さい光ファイバ収納具を用いて収納しても、光ファイバの特性は殆ど劣化することがない。
【０００５】
上述した公報に開示された紐類の巻き込み器は、かなり複雑な部品構造となっている。例えば、巻き取った曲げ径が直径１５ｍｍ程度となるようにこの巻き込み器を小型化させて、光ファイバの余長部分を巻き込むには、その製造に際して困難が伴う。さらに、小型化させた場合には、両手での巻き取り作業はかえって困難になる可能性がある。
また、上述した紐類の巻き込み器では、紐類の巻き込み方向が一方向に限定されており、光ファイバの余長部分を誤って逆方向で巻き込んだ場合には、誘導面に引っ掛かって、破断する可能性がある。さらに、両端が固定された光ファイバを、その中間部分から巻き取るようにして操作することから、巻き取りがちょうど良く終了する位置と、巻き取り部分を固定したい所謂配置箇所とが上手く一致しないことがあった。
【０００６】
また、巻き取られた光ファイバが、巻き込み器の中に順次配列されないことがあり、その光ファイバを繰り出す際に光ファイバ同士が絡まり合ってしまうことがあった。その際には、収納後の光ファイバの取り出しをスムースに行うことが困難であった。
【０００７】
本発明の目的は、光ファイバの余長の収納及び取り出し作業が容易にでき、小型かつ構造が簡易で操作性の良い光ファイバ収納具を提供することにある。
また、本発明の目的は、光ファイバ収納具の配置箇所を所望の位置にした場合に、光ファイバの余長部分を余すことなく収納することができる光ファイバ収納具を提供することにある。
さらに、本発明の目的は、収納した光ファイバを取り出す際の作業性が良い光ファイバ収納具を提供することにある。
【０００８】
【課題を解決するための手段】
上記目的を達成するための本発明に係る光ファイバ収納具は、少なくとも光ファイバを挿入可能な間隙を形成する２つのシャフト部から構成される巻き取り軸と、両シャフト部を固定するベースプレートと、シャフト部を挟んでベースプレートとは反対側に設けられ間隙に連続するように分割されたファイバ押さえプレートとを有し、巻き取り軸の外周に光ファイバを収容するためのファイバ収納空間が形成されており、ファイバ収納空間は、ベースプレートとファイバ押さえプレートとの間に設けられた仕切り板によって、複数層に分割されていることを特徴とする。
【０００９】
このような構成の光ファイバ収納具によれば、光ファイバをシャフト部の間の間隙に挿入し、この光ファイバ収納具自体を、巻き込む光ファイバに沿って回転させていくことにより、光ファイバの余長部分をファイバ収納空間に巻き込むことができる。その際、分割された各ファイバ収納空間に光ファイバを巻き込むことにより、光ファイバがファイバ収納空間内で絡まりにくくなる。
したがって、光ファイバ収納具を小型かつ簡易な構造としながら、光ファイバの収納および取り出しの作業性を向上させることができる。
また、各ファイバ収納空間において、さらに光ファイバを片方づつ巻き込むかまたは繰り出すことにより、光ファイバの余長部分を余すことなく収納しつつ、光ファイバ収納具の配置箇所を所望の位置に移動させることが容易である。
【００１０】
また、本発明に係る光ファイバ収納具は、仕切り板が、間隙及び複数層のファイバ収納空間を連通させるように、中心部分から外周の一端に亙ってスリットが形成されていることを特徴とする。
このような構成により、間隙に挿入した光ファイバが容易に各ファイバ収納空間に挿通される。したがって、光ファイバをスムースに各ファイバ収納空間に巻き込んでいくことができる。
【００１１】
また、本発明に係る光ファイバ収納具は、ファイバ収納空間が、２層に分割されていることを特徴とする。
このような構成により、できるだけ簡易な構造としながら、光ファイバを収納する長さの調節と絡まり防止とを共に満足させることができる。
【００１２】
また、本発明に係る光ファイバ収納具は、ファイバ収納空間の最外周の位置に、光ファイバを位置規制する変形自在なファイバ飛出し防止部材が設けられていることを特徴とする。
このような構成により、ファイバ飛出し防止部材が光ファイバの巻き込み時の巻き込み力（回転力）によって変形して、ファイバ収納空間への巻き込みを可能にする一方、一旦巻かれた光ファイバに対しては、巻き解れの方向（ファイバ収納空間の外側方向）の力に対して位置規制機能を発揮することができ、光ファイバがシャフト部から離れてファイバ収納空間から飛出すようなことが効果的に防止される。
【００１３】
また、本発明に係る光ファイバ収納具は、ファイバ飛出し防止部材が、ファイバ収納空間に対して外側方向よりも内側方向に変形し易いように構成されていることを特徴とする。
このような構成により、光ファイバをファイバ収納空間に巻き込むときに、ファイバ飛出し防止部材が内側（巻き取り軸側）へ変形し易いことから、ファイバの巻き込みがより容易になる。その一方、巻き取り軸に一旦巻かれた光ファイバは、ファイバ飛出し防止部材が外側へ変形し難い構成とされることにより、光ファイバがファイバ収納空間から飛出すことを極めて効果的に防止することができる。
【００１４】
また、本発明に係る光ファイバ収納具は、ファイバ飛出し防止部材が、仕切り板に対して着脱自在に構成されていることを特徴とする。このような構成により、光ファイバをこの光ファイバ収納具から取り出す際に、ファイバ飛出し防止部材を外して光ファイバの取り出しを容易にすることができる。また、ファイバ飛出し防止部材は、仕切り板に装着されるため、１つの部材によって仕切り板の両側のファイバ収納空間からの飛出し防止を行うように構成することができる。
【００１５】
また、本発明に係る光ファイバ収納具は、ファイバ押さえプレートが、間隙と連続する位置に光ファイバの接続部を着脱可能な接続部収納溝が形成されていることを特徴とする。
このような構成により、簡易な構造としながら、光ファイバの余長と接続部とを１つの光ファイバ収納具に収納することが可能となる。
【００１６】
また、本発明に係る光ファイバ収納具は、接続部収納溝が、２つのシャフト部の共通内接線に沿った方向に形成されていることを特徴とする。このような構成により、接続部の両端から延びる両余長部分をそれぞれシャフト部に沿わせて同一回転方向に巻き取っていくことができる。
【００１７】
また、本発明に係る光ファイバ収納具は、ベースプレート及びファイバ押さえプレートの外形が、長方形状と半円形状とを組み合わせた長円形状であり、接続部収納溝は、長方形状の対角線方向に形成されていることを特徴とする。
このような構成により、ファイバ収納空間が長円形状となり、光ファイバ収納具を小型化しても接続部の両端から延びる両余長部分に付加される曲げ直径を大きくすることができる。
【００１８】
また、本発明に係る光ファイバ収納箱は、上記の光ファイバ収納具を用いて、光ファイバの余長を収納したことを特徴とする。
このような構成により、光ファイバの収納および取り出しの作業性が良好な光ファイバ収納箱を提供することができる。
【００１９】
【発明の実施の形態】
以下、本発明に係る光ファイバ収納具及び光ファイバ収納箱の実施の形態を図１〜図９に基づいて説明する。
図１は、本発明に係る光ファイバ収納具の第１実施形態を示す斜視図である。図２は、図１の光ファイバ収納具を部分的に示す部分斜視図である。図３は、図２の光ファイバ収納具に光ファイバを１回転巻き込んだ状態を示す部分斜視図である。図４は、図２の光ファイバ収納具に光ファイバを２回転巻き込んだ状態を示す部分斜視図である。図５は、本発明に係る光ファイバ収納具の第２実施形態を示す斜視図である。図６は、本発明に係る光ファイバ収納具の第３実施形態を示す斜視図である。図７は、図６に示す光ファイバ収納具の仕切り板を示す斜視図である。図８は、図６に示す光ファイバ収納具の変形例を示す模式図である。図９は、図１及び図６に示す光ファイバ収納具を用いて、光ファイバの余長を収納した光ファイバ収納箱を示す斜視図である。
【００２０】
（第１実施形態）
図１及び図２に、第１実施形態の光ファイバ収納具１を示す。なお、図２は、光ファイバ収納具１の内部の構造を説明するために、上部に設けられたファイバ押さえプレート３を除いた状態を図示している。
光ファイバ収納具１は、例えば光通信機器などの基板に両端が固定された光ファイバｆに適用される。すなわち、光ファイバ収納具１は、光ファイバｆの両端が適宜コネクタ等に接続され固定された状態において、この光ファイバｆがコネクタ間の距離に比べて長く、余長がある場合に、この余長分を巻き取って収納するのに適用される。
【００２１】
光ファイバ収納具１は、巻き取り軸５を構成する２つのシャフト部４，４と、シャフト部４，４の一端側に設けられたベースプレート２と、シャフト部４，４を挟んでベースプレート２とは反対側に設けられた２つのファイバ押さえプレート３，３とを備えている。
２つのシャフト部４，４は、それぞれ円柱状に形成され、光ファイバｆを挿入可能な間隙６を設けて平行に配置されている。また、２つのシャフト部４，４は、巻き取り軸５の外側に光ファイバｆを巻き込んだときに、その光ファイバｆの曲げ直径が１５ｍｍ程度になるように構成されている。
２つのファイバ押さえプレート３，３は、間隙６に連続するように分割された、それぞれ半円形状の平板である。このファイバ押さえプレート３，３の間隔は、ファイバ押さえプレート３，３側（図中上方）から光ファイバｆを間隙６に挿通させることが容易であるように設定されている。
また、ベースプレート２は、ファイバ押さえプレート３，３と平行に配置された円形状の平板であり、２つのファイバ押さえプレート３，３を合わせた大きさとほぼ等しくなるように形成されている。
【００２２】
ファイバ押さえプレート３，３とベースプレート２との間に画成された空間は、巻き取り軸５の外周に光ファイバｆを収容するためのファイバ収納空間９である。このファイバ収納空間９は、仕切り板１０によって複数層に分割されている。本実施形態では、仕切り板１０をファイバ押さえプレート３，３とベースプレート２との間のほぼ中央部分に設け、ファイバ収納空間９が、第１収納空間７と第２収納空間８との２層に分割されている。
【００２３】
仕切り板１０は、ベースプレート２及びファイバ押さえプレート３，３と平行に配置されたほぼ円形状の平板である。そして、仕切り板１０の中心部分から外周の一端に亙って、間隙６及び第１収納空間７と第２収納空間８を連通させるように、スリット１１が形成されている。スリット１１におけるシャフト部４，４に近接した部分は、光ファイバｆを引っ掛けたり急な角度で曲げたりしないように、曲面状に形成されている。
また、仕切り板１０の中央部分に位置するスリット１１の端部には、上方から挿入された光ファイバｆを第２収納空間８へ向けて緩やかに案内するための傾斜面１２が形成されている。好適には、傾斜面１２は凸曲面状に形成されている。また、間隙６に挿入した光ファイバｆが必ず傾斜面１２に摺接するように、この傾斜面１２の幅は、シャフト部４，４の間隔より大きく形成されている。
【００２４】
この光ファイバ収納具１は、プラスチックなどにより一体成形あるいは複数の部品からなる組み立て体として構成される。なお、その材質としては、プラスチックに限定するものではなく、金属など種々の素材にて構成することができる。
【００２５】
このように構成された光ファイバ収納具１について、光ファイバｆが巻き取られる態様を説明する。
光ファイバｆを巻き取る際には、まず、光ファイバｆを、上方からファイバ押さえプレート３，３の間を通して、間隙６に挿入する。すると、光ファイバｆの一部分は仕切り板１０上の第１収納空間７に留まり、他の一部分はスリット１１から第２収納空間８に入っていく（図２参照）。つまり、ファイバ収納空間９内に挿入された光ファイバｆのうち、ほぼ半分の長さづつ、第１収納空間７と第２収納空間８に収められる。また、この際、光ファイバｆは傾斜面１２により案内されて、急な曲げが付加されずにスムースに第２収納空間８へ入る。
【００２６】
図２に示した状態から、光ファイバ収納具１を反時計回り（矢印１３方向）に１回転させると、図３に示すように、第１収納空間７と第２収納空間８において、光ファイバｆがそれぞれ巻き取り軸５の周囲に１周分づつ巻き取られる。
さらに、図３に示した状態から、続けて反時計回り（矢印１３方向）に光ファイバ収納具１を１回転させると、図４に示すように、第１収納空間７と第２収納空間８において、光ファイバｆがそれぞれ巻き取り軸５の周囲にさらに１周分づつ巻き取られる。
光ファイバ収納具１を回転させる作業は、片手でベースプレート２及びファイバ押さえプレート３，３を巻き取り軸５の軸方向から押さえながら、同じ手の指でベースプレート２またはファイバ押さえプレート３，３あるいは仕切り板１０の外周部分を周方向に動かすことで容易に行うことができる。
【００２７】
このようにして、光ファイバ収納具１を反時計回りに回転させてゆき、例えばコネクタ間における光ファイバｆの弛みが無くなる程度まで余長を巻き取る。なお、ここでは光ファイバ収納具１を回転する方向を反時計回りとしたが、時計回りに回転させても同様に巻き取り作業を行うことができる。
光ファイバｆは、それぞれ第１収納空間７と第２収納空間８の巻き取り軸５に順次巻き取られていくので、巻き取り軸５の周囲に規則的に配列され易い。したがって、光ファイバｆをファイバ収納空間９から取り出す際に、光ファイバｆの絡みが防止されて、良好な操作性が得られる。
【００２８】
また、光ファイバ収納具１を所望の光ファイバ収納領域に配置させる場合には、第１収納空間７と第２収納空間８のどちらか一方の光ファイバｆを繰り出すとともに、他方の光ファイバｆをさらに巻き取る。このように、例えばコネクタ間でそれぞれの収納空間７，８における余長の収納長さを調節しつつ、光ファイバ収納具１を光ファイバｆに沿って移動させ、最終的に余長を余すことなく収納して、所望の位置に配置させることができる。
【００２９】
（第２実施形態）
図５に、第２実施形態の光ファイバ収納具を示す。
図５に示す光ファイバ収納具２０は、図１に示す光ファイバ収納具１におけるファイバ収納空間９の最外周の位置に、ファイバ飛出し防止部材２１が設けられた構成である。このファイバ飛出し防止部材２１は、ファイバ収納空間９に収納された光ファイバｆを位置規制するもので、変形自在な構成である。また、本実施形態におけるファイバ飛出し防止部材２１は、仕切り板１０の周方向に例えば４箇所設けられ（図５では２つの部材を一体化したものを１つのみ図示）、仕切り板１０に着脱自在に構成されている。
【００３０】
ファイバ飛出し防止部材２１は、仕切り板１０を両面から把持するように形成された固定部２２と、固定部２２からベースプレート２とファイバ押さえプレート３，３とに向かって延びるように形成された飛出し防止部２３とを備えている。このファイバ飛出し防止部材２１は、例えば、合成樹脂により成形されており、飛出し防止部２３がファイバ収納空間９の周方向に所定の幅を有する円弧の一部からなる湾曲面にて構成されている。
【００３１】
また、飛出し防止部２３は、光ファイバｆをファイバ収納空間９に巻き込んでいく際に、仕切り板１０の中心方向（ファイバ収納空間９の内側）へは容易に倒れる（矢印２４方向）ように構成されている。一方、矢印２４の方向とは反対側（外側）には倒れにくい構成となっている。すなわち、飛出し防止部２３がファイバ収納空間９の周方向に沿う湾曲面にて構成されていることから、外側に倒れにくい構成とすることができる。このような構成により、ファイバ飛出し防止部材２１を、光ファイバｆを巻き込む前に装着した場合でも、光ファイバｆの巻き取り軸５への巻き取りを可能にするとともに、巻き取り軸５に巻き取った光ファイバｆの巻き緩みや飛出しを効果的に防止することができる。
【００３２】
このように、ファイバ飛出し防止部材２１が、仕切り板１０に対して着脱自在に構成されたことにより、例えば、光ファイバｆの配線替えややり直しの際の光ファイバ収納具３１からのファイバ取り出しを、このファイバ飛出し防止部材２１を外すことで短時間に行うことができる。また、ファイバ飛出し防止部材２１が、仕切り板１０とは別体にて構成されていることにより、光ファイバ収納具２０の成形性の低下も回避できる。
また、ファイバ飛出し防止部材をベースプレート２やファイバ押さえプレート３，３に設ける場合は、第１収納空間７と第２収納空間８との飛出し防止をそれぞれ別部材で行わなければならないが、本実施形態ではファイバ飛出し防止部材２１を仕切り板１０に設けたので、１つの部材によって第１収納空間７及び第２収納空間８からの飛出し防止を行うことができる。
【００３３】
また、本発明においては、ファイバ飛出し防止部材２１のように着脱自在な構成でなくても良い。例えば、仕切り板１０の外周縁に沿って多数の繊維状（ブラシ状）のものを、この仕切り板１０に対して直角方向に形成した構造であっても良い。また、ファイバ飛出し防止部材２１は仕切り板１０に対して内側に傾いて立つように構成されていても良い。
【００３４】
（第３実施形態）
次に、本発明の光ファイバ収納具において、光ファイバの接続部を着脱可能とした態様（第３実施形態）について説明する。
図６に示すように、第３実施形態の光ファイバ収納具３０は、ベースプレート３１と、ファイバ押さえプレート３３，３３と、仕切り板３２の外形が、長方形状と半円形状とを組み合わせた長円形状に構成されている。また、シャフト部３４，３４からなる巻き取り軸３５も、ベースプレート３１に対応した長円形状に構成されている。この巻き取り軸３５の間隙３６は、長方形状の対角線方向に沿って形成されており、ファイバ押さえプレート３３，３３は、この間隙３６に連続するように分割されている。
このような構成により、巻き取り軸３５に光ファイバｆが巻き取られるときには、光ファイバｆに対して付加される曲げの曲げ径を大きくすることができる。したがって、巻き取り作業がスムースになるとともに、光ファイバｆの伝送損失の増加を抑えたり、強度の低下を防いだりすることができる。
【００３５】
この光ファイバ収納具３０は、上述した光ファイバ収納具１，２０と同様に、ファイバ収納空間４２が仕切り板３２によって第１収納空間４０と第２収納空間４１とに分割されている。
また、図７に示すように、仕切り板３２は、中心部分から外周の一端に亙って、間隙３６及び第１収納空間４０と第２収納空間４１を連通させるように、スリット３８が形成されている。仕切り板３２の外周部分に近接したスリット３８の外端部は、光ファイバｆを引っ掛けたり急な角度で曲げたりしないように、曲面状に形成されている。
また、仕切り板３２の中央部分に位置するスリット３８の内端部には、上述した傾斜面１２（図２参照）と同様の目的で形成された傾斜面３９が形成されている。
このような構成により、間隙３６に光ファイバｆを挿入して、光ファイバ収納具３０を反時計回り（矢印４３方向）に回転させると、上述した光ファイバ収納具１，２０と同様に、第１収納空間４０と第２収納空間４１に光ファイバｆを巻き取っていくことができる。
【００３６】
また、ファイバ押さえプレート３３，３３の間には、間隙３６と連続する位置に光ファイバｆの接続部ｆ１を着脱可能な接続部収納溝３７が形成されている。この接続部収納溝３７により、光ファイバ収納具３０を簡易な構造としながら、光ファイバｆの余長と接続部ｆ１とを収納することが可能となる。
また、接続部収納溝３７は、２つのシャフト部３４，３４の共通内接線に概略沿った方向に形成されている。これにより、接続部ｆ１を接続部収納溝３７に装着した場合に、接続部ｆ１の両端から延びる両余長部分をそれぞれシャフト部３４，３４に沿わせて同一回転方向（本実施形態では時計回り）に巻き取っていくことができる。
【００３７】
また、上述した光ファイバ収納具３０は、種々の構成の変更が可能である。
例えば、図８（ａ）に示すように、巻き取り軸４６は、間隙４７によってシャフト部４５，４５に分割されており、この巻き取り軸４６の厚さ方向には、ベースプレートと、ファイバ押さえプレートと、仕切り板が設けられている（図示せず）。
シャフト部４５，４５は、それぞれほぼ半円形状に形成されており、これらの共通内接線Ｌに沿って形成された接続部ｆ１が接続部収納溝３７（図６参照）に、光ファイバｆの接続部ｆ１が装着される。また、シャフト部４５，４５の端部Ｐ，Ｐは、曲面に形成されており、接続部ｆ１の両端から延びた光ファイバｆは、大きな曲げ径で巻き取られる。そして、光ファイバ収納具を反時計回り（矢印４８方向）に回転させていくと、光ファイバｆが図示のように長円形状に巻き取られる。
このように、上述した光ファイバ収納具３０においては、光ファイバｆが巻き取られた概略形状が長円形状となることが好ましい。したがって、シャフト部を円形状とすることも可能である。
【００３８】
次に、本発明に係る光ファイバ収納箱の実施の形態について説明する。
光ファイバ収納箱は、複数の光ファイバの余長を収納するために用いられ、好適には、光ファイバの接続部とその余長を収納するために用いられる。
図９に示すように、光ファイバ収納箱５０は、光ファイバ収納具１，３０を保持することが可能なように構成された保持部５３を備えている。この光ファイバ収納箱５０には、複数の光ファイバｆ２が導入される。複数の光ファイバを有する光ファイバケーブルｆ２は、光ファイバ収納箱５０の内側で、それぞれ融着等の手段により接続され、単心の光ファイバケーブルｆ３に分岐されて光ファイバ収納箱５０から導出される。この多心光ファイバケーブルｆ２から単心光ファイバケーブルｆ３に分岐する際の、接続部ｆ１及び接続部ｆ１から延びる余長部分の光ファイバｆは、それぞれ光ファイバ収納具１，３０によって収納される。これらの光ファイバ収納具１，３０は、保持部５３により保持されて光ファイバ収納箱５０内に収納される。
【００３９】
このように、上述した本発明に係る光ファイバ収納具を用いて、光ファイバ収納箱に光ファイバの余長を収納することにより、光通信機器等の工事作業においても、目的とする光ファイバの余長部分を適宜取り出すことができる。また、本発明に係る光ファイバ収納具を用いることにより、光ファイバの収納および取り出しの作業性が良好な光ファイバ収納箱を得ることができる。
【００４０】
【発明の効果】
以上説明したように、本発明の光ファイバ収納具によれば、分割された各ファイバ収納空間に光ファイバを巻き込むことができるため、光ファイバがファイバ収納空間内で絡まりにくくなる。
したがって、光ファイバ収納具を小型かつ簡易な構造としながら、光ファイバの収納および取り出しの作業性を向上させることができる。
また、光ファイバの余長部分を余すことなく収納しつつ、光ファイバ収納具の配置箇所を所望の位置に移動させることが容易である。
【００４１】
さらに、本発明の光ファイバ収納箱によれば、光ファイバの収納および取り出しの作業性が良好となる。
【図面の簡単な説明】
【図１】本発明に係る光ファイバ収納具の第１実施形態を示す斜視図である。
【図２】図１の光ファイバ収納具を部分的に示す部分斜視図である。
【図３】図２の光ファイバ収納具に光ファイバを１回転巻き込んだ状態を示す部分斜視図である。
【図４】図２の光ファイバ収納具に光ファイバを２回転巻き込んだ状態を示す部分斜視図である。
【図５】本発明に係る光ファイバ収納具の第２実施形態を示す斜視図である。
【図６】本発明に係る光ファイバ収納具の第３実施形態を示す斜視図である。
【図７】図６に示す光ファイバ収納具の仕切り板を示す斜視図である。
【図８】図６に示す光ファイバ収納具の変形例を示す模式図である。
【図９】図１及び図６に示す光ファイバ収納具を用いて、光ファイバの余長を収納した光ファイバ収納箱を示す斜視図である。
【図１０】従来の紐類の巻き込み器の上面図である。
【図１１】従来の紐類の巻き込み器の断面図である。
【符号の説明】
１　光ファイバ収納具（第１実施形態）
２　ベースプレート
３　ファイバ押さえプレート
４　シャフト部
５　巻き取り軸
６　間隙
７　第１収納空間
８　第２収納空間
９　ファイバ収納空間
１０　仕切り板
１１　スリット
１２　傾斜面
２０　光ファイバ収納具（第２実施形態）
２１　ファイバ飛出し防止部材
２２　固定部
２３　飛出し防止部
３０　光ファイバ収納具（第３実施形態）
３７　接続部収納溝
５０　光ファイバ収納箱
５３　保持部
ｆ　光ファイバ
ｆ１　接続部
Ｌ　共通内接線
【図１】
2004045620.tif 000003
【図２】
2004045620.tif 000004
【図３】
2004045620.tif 000005
【図４】
2004045620.tif 000006
【図５】
2004045620.tif 000007
【図６】
2004045620.tif 000008
【図７】
2004045620.tif 000009
【図８】
2004045620.tif 000010
【図９】
2004045620.tif 000011
【図１０】
2004045620.tif 000012
【図１１】
2004045620.tif 000013